(57)【要約】【課題】飛距離を向上させることができるゴルフクラブヘッドおよびゴルフクラブを提供する。【解決手段】トップエッジ部５にはトップエッジ部５の外形に沿ってヒール部１ｈ側からトゥ部１ｔ側に向かって延びる第１溝部５Ｕが、ソール部６にはソール部６の外形に沿ってヒール部１ｈからトゥ部１ｔに向かう方向に延びる第２溝部６Ｕが形成されている。ヒール部１ｈからトゥ部１ｔに向かう方向におけるゴルフクラブヘッド１全体の長さであるヘッド長Ｌ５に対する、ヒール部１ｈ側からトゥ部１ｔ側に向かう方向における第１溝部５Ｕの底部の長さＬ１の第１比率が、０．４８以上０．６３以下である。ヘッド長Ｌ５に対する、ヒール部１ｈからトゥ部１ｔに向かう方向に延びる第２溝部６Ｕの長さの第２比率が０．４８以上０．６３以下である。スコアライン１１の垂直２等分線Ｄ上における打球面２Ａの高さＬ７に対する、垂直２等分線Ｄに沿ったフェースバック面２Ｂの高さＬ３の第３比率が０．９７以上である。【選択図】図１
2015231468.tif 000002
【特許請求の範囲】
【請求項１】
ゴルフクラブヘッドであって、
打球面と前記打球面の背面側に位置するフェースバック面とを有するフェース部と、
前記フェースバック面を含み、前記フェースバック面の後方側に設けられたキャビティ部と、
前記打球面に対して上方の端部に位置するトップエッジ部と、前記打球面に対して前記トップエッジ部と反対側の端部に位置するソール部と、前記打球面に対してシャフト側の端部に位置するヒール部と、前記打球面に対して前記ヒール部と反対側の端部に位置するトゥ部とを備え、
前記トップエッジ部には、前記トップエッジ部の外形に沿って前記ヒール部側から前記トゥ部側に向かって延びる第１溝部が形成されており、
前記ソール部には、前記ソール部の外形に沿って前記ヒール部から前記トゥ部に向かう方向に延びる第２溝部が形成されており、
前記キャビティ部は前記第１溝部と前記第２溝部とに接続されており、
前記ヒール部から前記トゥ部に向かう方向における前記ゴルフクラブヘッド全体の長さであるヘッド長に対する、前記ヒール部側から前記トゥ部側に向かう方向における前記第１溝部の底部の長さの第１比率が、０．４８以上０．６３以下であり、
前記ヘッド長に対する、前記ヒール部から前記トゥ部に向かう方向に延びる前記第２溝部の底部の長さの第２比率が０．４８以上０．６３以下であり、
前記打球面には、前記ヒール部から前記トゥ部に向かう方向に延びるスコアラインが前記トップエッジ部と前記ヒール部との間において互いに平行に複数形成されており、
複数の前記スコアラインのうち前記ヒール部から前記トゥ部に向かう方向において最長となる前記スコアラインの垂直２等分線上における前記打球面の高さに対する、前記垂直２等分線に沿った前記フェースバック面の高さの第３比率が０．９７以上である、ゴルフクラブヘッド。
【請求項２】
前記第１比率が０．５４以上０．６３以下であり、前記第２比率が０．４８以上０．５８以下である、請求項１に記載のゴルフクラブヘッド。
【請求項３】
前記打球面に垂直な方向における前記ソール部の最大幅に対する、前記垂直２等分線を通り前記打球面に垂直な面における前記第２溝部の前記底部の幅の第４比率が０．３１以上０．３９以下である、請求項１または請求項２に記載のゴルフクラブヘッド。
【請求項４】
前記トゥ部側には前記第１溝部と前記第２溝部とに接続された第３溝部が形成され、前記ヒール部側には前記第１溝部と前記第２溝部とに接続された第４溝部が形成されており、
前記キャビティ部に面している前記フェースバック面の平面形状は多角形状であり、
前記フェースバック面の平面形状の外周は、前記第１溝部、前記第２溝部、前記第３溝部、および前記第４溝部に沿って配置されている、請求項１〜請求項３のいずれか１項に記載のゴルフクラブヘッド。
【請求項５】
前記キャビティ部に面している前記フェースバック面の前記平面形状が六角形状であり、
前記平面形状のうちの１辺が前記第１溝部内に形成されており、前記平面形状のうちの他の３辺が前記第２溝部内に形成されており、前記平面形状のうちの残りの２辺が前記第３溝部および前記第４溝部に沿って配置されている、請求項４に記載のゴルフクラブヘッド。
【請求項６】
一体として鋳造により形成されている、請求項１〜請求項５のいずれか１項に記載のゴルフクラブヘッド。
【請求項７】
請求項１〜請求項６のいずれか１項に記載のゴルフクラブヘッドを備えるゴルフクラブ。
【発明の詳細な説明】
【技術分野】
【０００１】
本発明は、ゴルフクラブヘッドおよびゴルフクラブに関し、特に一体鋳造により形成されるゴルフクラブヘッドおよび該ゴルフクラブヘッドを備えるゴルフクラブに関する。
【背景技術】
【０００２】
従来のゴルフクラブヘッドでは、打球の飛距離を伸ばすために反発係数を高めることが追及されている。従来のゴルフクラブヘッドにおいて採用されている反発係数を高める手段としては、たとえばソール部にアンダーカットを施したり、フェース部の上下有効たわみ長さを長くすることが挙げられる。ここで、「上下有効たわみ長さ」とは、ヒール部からトゥ部に向かう方向において最長となるスコアラインの垂直２等分線上において、打球時に実質的に撓み得るフェース部の長さをいう。
【０００３】
特開２００１−２４６０３０号公報には、前面にフェースが背面に凹部が形成されているゴルフクラブであって、凹部の底面のトップとソール方向の最大長さをＨ１とし、フェースの最大長さをＨ２としたとき、０．７≦Ｈ１／Ｈ２≦０．８５となるように形成されているゴルフクラブが記載されている。また、このようなゴルフクラブヘッドがレーザー溶接などを用いてフェース部材とヘッド本体とを固着されるゴルフクラブヘッドの製造方法が記載されている。
【先行技術文献】
【特許文献】
【０００４】
【特許文献１】特開２００１−２４６０３０号公報
【発明の概要】
【発明が解決しようとする課題】
【０００５】
しかしながら、より飛距離を向上させることが求められている。本発明は、上記のような課題を解決するためになされたものである。本発明の主たる目的は、飛距離を向上させることができるゴルフクラブヘッドおよびゴルフクラブを提供することにある。
【課題を解決するための手段】
【０００６】
ゴルフクラブヘッドであって、打球面と前記打球面の背面側に位置するフェースバック面とを有するフェース部と、前記フェースバック面を含み、前記フェースバック面の後方側に設けられたキャビティ部と、前記打球面に対して上方の端部に位置するトップエッジ部と、前記打球面に対して前記トップエッジ部と反対側の端部に位置するソール部と、前記打球面に対してシャフト側の端部に位置するヒール部と、前記打球面に対して前記ヒール部と反対側の端部に位置するトゥ部とを備える。上記トップエッジ部には、前記トップエッジ部の外形に沿って前記ヒール部側から前記トゥ部側に向かって延びる第１溝部が形成されており、前記ソール部には、前記ソール部の外形に沿って前記ヒール部から前記トゥ部に向かう方向に延びる第２溝部が形成されている。前記キャビティ部は前記第１溝部と前記第２溝部とに接続されている。前記ヒール部から前記トゥ部に向かう方向における前記ゴルフクラブヘッド全体の長さであるヘッド長に対する、前記ヒール部側から前記トゥ部側に向かう方向における前記第１溝部の底部の長さの第１比率が、０．４８以上０．６３以下である。前記ヘッド長に対する、前記ヒール部から前記トゥ部に向かう方向に延びる前記第２溝部の長さの第２比率が０．４８以上０．６３以下である。前記打球面には、前記ヒール部から前記トゥ部に向かう方向に延びるスコアラインが前記トップエッジ部と前記ヒール部との間において互いに平行に複数形成されており、複数の前記スコアラインのうち前記ヒール部から前記トゥ部に向かう方向において最長となる前記スコアラインの垂直２等分線上における前記打球面の高さに対する、前記垂直２等分線に沿った前記フェースバック面の高さの第３比率が０．９７以上である。
【発明の効果】
【０００７】
本発明によれば、飛距離を向上させることができるゴルフクラブヘッドおよびゴルフクラブを提供することができる。
【図面の簡単な説明】
【０００８】
【図１】本実施の形態に係るゴルフクラブヘッドを説明するための背面図である。
【図２】図１中の線分ＩＩから見た底面図である。
【図３】図１中の線分ＩＩＩ−ＩＩＩから見た断面図である。
【図４】本実施の形態に係るゴルフクラブを説明するための図である。
【図５】本実施の形態に係るゴルフクラブヘッドの変形例を説明するための背面図である。
【発明を実施するための形態】
【０００９】
以下、図面を参照して、本発明の実施の形態について説明する。なお、以下の図面において、同一または相当する部分には同一の参照番号を付し、その説明は繰り返さない。
【００１０】
はじめに、図１〜図３を参照して、本実施の形態に係るゴルフクラブヘッド１について説明する。本実施の形態に係るゴルフクラブヘッド１は、フェース部２とキャビティ部３とを備える。
【００１１】
さらに、ゴルフクラブヘッド１は、打球面２Ａに対して上方の端部に位置するトップエッジ部５と、打球面に対してトップエッジ部５と反対側の端部に位置するソール部６と、シャフト３１（図４参照）側の端部Ｂに位置するヒール部１ｈと、フェース面２Ａに対してヒール部１ｈと反対側の端部Ｃに位置するトゥ部１ｔとを備える。
【００１２】
フェース部２は、フェース面（打球面）２Ａと、フェース面２Ａの背面側に位置するフェースバック面２Ｂとを有する。フェース部２において、フェース面２Ａとフェースバック面２Ｂとが所定の距離だけ離れて重なるように形成されている領域は、主として打球することが予定されている領域である。異なる観点からいえば、当該領域におけるフェース部２の厚みは、それ以外の領域におけるフェース部２の厚みよりも薄く、高反発（たとえば反発係数が０．７５以上）な領域として形成されている。フェース面２Ａとフェースバック面２Ｂとは、略平行に設けられている。
【００１３】
フェース部２は、シャフト３１側の端部Ｂに位置するヒール部１ｈから、フェース面２Ａに対してヒール部１ｈと反対側の端部Ｃに位置するトゥ部１ｔまで延びている。フェース面２Ａは一つの平面として形成されており、フェース面２Ａには、ヒール部１ｈからトゥ部１ｔまで向かう方向に延びるスコアライン１１がフェース面２Ａに対する溝部として形成されている。スコアライン１１は、トップエッジ部５からソール部６まで所定の間隔を開けて互いに平行に複数形成されている。フェース面２Ａにおいてスコアライン１１が形成されている領域は、フェースバック面２Ｂと重なるように配置されている
ここで、複数のスコアライン１１のうちヒール部１ｈからトゥ部１ｔに向かう方向において最長となるスコアライン１１の垂直２等分線を直線Ｄとする。スコアライン１１が延びる方向（ヒール部１ｈからトゥ部１ｔまで向かう方向）は、ゴルフクラブヘッド１が接続されるシャフト３１（図４参照）の軸Ａが延びる方向と交差しており、当該ゴルフクラブヘッド１を備えるゴルフクラブ１００を構えた時に地面と略平行となるように形成されている。
【００１４】
フェースバック面２Ｂは、キャビティ部３に面している。フェースバック面２Ｂは、ゴルフクラブヘッド１を背面側から見たときに、たとえばキャビティ部３の底面を成すように設けられている。フェースバック面２Ｂの平面形状、すなわちフェース部２においてフェース面２Ａとフェースバック面２Ｂとが重なるように形成されている領域の平面形状は、たとえば多角形状であり、好ましくは六角形状である。フェースバック面２Ｂがフェース面２Ａと重なるように形成されている領域は、フェース部２における他の領域（後述するトップエッジ部５において第１溝部５Ｕの底部よりも上方に位置する領域、ソール部６において第２溝部６Ｕの底部よりも下方に位置する領域、第１領域７、第２領域８、第３領域９、および第４領域１０など）よりも、フェース面２Ａに垂直な方向における厚みが薄い領域である。また、フェースバック面２Ｂがフェース面２Ａと重なるように形成されている領域は、第１領域７、第２領域８、第３領域９、および第４領域１０などに囲まれるように配置されている。
【００１５】
キャビティ部３は、上述のように、フェースバック面２Ｂの後方側に設けられている。キャビティ部３は、その大半の領域においてフェース面２Ａ上に形成されているスコアライン１１と重なるように設けられている。
【００１６】
トップエッジ部５は、ヒール部１ｈ側からトゥ部１ｔ側に向かうにつれて、上方に向かうように形成されている。言い換えると、トップエッジ部５は、ヒール部１ｈからトゥ部１ｔに向かう方向に対して交差する方向に延びるように形成されている。トップエッジ部５には、トップエッジ部５の外形に沿ってヒール部１ｈ側からトゥ部１ｔ側に向かって延びる第１溝部５Ｕが形成されている。言い換えると、第１溝部５Ｕは、ヒール部１ｈからトゥ部１ｔに向かう方向に対して交差する方向（ヒール部１ｈ側からトゥ部１ｔ側に向かう方向）に延びるように形成されている。
【００１７】
第１溝部５Ｕは、トップエッジ部５側に底部を有し、ソール部６側において開放されてキャビティ部３と接続されている。言い換えると、第１溝部５Ｕを構成する１つの面はフェースバック面２Ｂであり、トップエッジ部５側に配置されている第１溝部５Ｕの底部がフェースバック面２Ｂのトップエッジ部５側の端部を規定している。ここで、第１溝部５Ｕの底部を構成する底面は、所定の曲率半径を有する曲面（Ｕ字形状）であり、フェースバック面２Ｂと第１溝部５Ｕの底面との接続部で明確な境界（エッジ）が形成されておらず、これらが曲面状になめらかに接続されている。なお、第１溝部５Ｕの底部を構成する底面は、平面であってもよく、延びている方向が異なる複数の平面や曲面が連なるように形成されていてもよい。あるいは、フェースバック面２Ｂと第１溝部５Ｕの底面との間で明確な境界（エッジ）が形成されていてもよい。ヒール部１ｈ側からトゥ部１ｔ側に向かう方向における第１溝部５Ｕの底部の長さＬ１については、後述する。
【００１８】
トップエッジ部５は、第１溝部５Ｕに対してトゥ部１ｔ側に位置するとともにキャビティ部３に対して上方に位置する第１領域７と、第１溝部５Ｕに対してヒール部１ｈ側に位置するとともにキャビティ部３に対して上方に位置する第２領域８とに、それぞれ接続されている。言い換えると、第１領域７と第２領域８とは、トップエッジ部５およびキャビティ部３を挟んで配置されている。異なる観点からいえば、第１領域７と第２領域８とは、それぞれ直線Ｄに対して間隔を隔てて配置されている。第１領域７は、第２領域８と比べて広く形成されていてもよい。
【００１９】
ソール部６は、ヒール部１ｈからトゥ部１ｔに向かう方向に延びるように形成されている。ソール部６には、ソール部６の外形に沿ってヒール部１ｈからトゥ部１ｔに向かって延びる第２溝部６Ｕが形成されている。第２溝部６Ｕは、ソール部６側に底部を有し、トップエッジ部５側において開放されてキャビティ部３と接続されている。言い換えると、第２溝部６Ｕを構成する１つの面はフェースバック面２Ｂであり、ソール部６側の配置されている第２溝部６Ｕの底部がフェースバック面２Ｂのソール部６側の端部を規定している。ここで、第２溝部６Ｕの底部を構成する底面は、所定の曲率半径を有する曲面（Ｕ字形状）であり、フェースバック面２Ｂと第２溝部６Ｕの底面との接続部で明確な境界（エッジ）が形成されておらず、これらが曲面状になめらかに接続されている。なお、第２溝部６Ｕの底部を構成する底面は、平面であってもよく、延びている方向が異なる複数の平面や曲面が連なるように形成されていてもよい。あるいは、フェースバック面２Ｂと第１溝部５Ｕの底面との間で明確な境界（エッジ）が形成されていてもよい。ヒール部１ｈからトゥ部１ｔに向かう方向における第２溝部６Ｕの底部の長さＬ２については、後述する。
【００２０】
ソール部６において、第２溝部６Ｕの後方側には厚肉部６Ｔが形成されている。厚肉部６Ｔの厚み（下方端面６Ｓから第２溝部６Ｕにおいてフェースバック面２Ｂと対向する側面または傾斜面６Ｖまでの距離）は、第２溝部６Ｕの底部の厚み（ソール部６において第２溝部６Ｕが形成されている領域の下方端面６Ｓから第２溝部６Ｕの底面までの距離）よりも厚い。直線Ｄを通るフェース面２Ａに垂直な面において、フェース面２Ａに対して垂直な方向における厚肉部６Ｔの幅は第２溝部６Ｕの底部の幅Ｌ４（図２，３参照）よりも広く設けられているのが好ましい。第２溝部６Ｕの底部の幅Ｌ４については、後述する。
【００２１】
ソール部６の厚肉部６Ｔは、第２溝部６Ｕおよびキャビティ部３に対してトゥ部１ｔ側に位置する第３領域９と、第２溝部６Ｕおよびキャビティ部３に対してヒール部１ｈ側に位置する第４領域１０と、それぞれ接続されている。異なる観点からいえば、第３領域９と第４領域１０とは、第２溝部６Ｕの前方側においてはフェース部２を介して接続されており、第２溝部６Ｕの後方側においてはソール部６の厚肉部６Ｔを介してそれぞれ接続されている。また、第３領域９と第４領域１０とは、ソール部６およびキャビティ部３を挟んで配置されており、異なる観点からいえば、直線Ｄを挟んで配置されている。
【００２２】
第１領域７、第２領域８、第３領域９、および第４領域１０は、フェース部２においてキャビティ部３と重なる領域、すなわちフェース面２Ａとフェースバック面２Ｂとが重なるように形成されている領域よりも、厚肉に設けられている。そのため、第１領域７、第２領域８、第３領域９、および第４領域１０は、フェース面２Ａとフェースバック面２Ｂとが重なるように形成されている領域よりも剛性が高い一方で反発係数が低い。
【００２３】
トップエッジ部５とソール部６とは、キャビティ部３あるいはフェースバック面２Ｂを挟んで対向するように形成されている。このとき、第１溝部５Ｕと第２溝部６Ｕとによって挟まれている領域は、フェース部２においてキャビティ部３と重なる領域、すなわちフェース面２Ａとフェースバック面２Ｂとが重なるように形成されている領域である。つまり、トップエッジ部５において第１溝部５Ｕの底部よりも上方に位置する部分、およびソール部６において第２溝部６Ｕの底部よりも下方に位置する部分は、フェース面２Ａとフェースバック面２Ｂとが重なるように形成されている領域よりも厚肉に設けられている。そのため、当該部分は、フェース面２Ａとフェースバック面２Ｂとが重なるように形成されている領域よりも剛性が高い。
【００２４】
トップエッジ部５は、フェース面２Ａの上方に位置する端部を有している。さらに、トップエッジ部５は、フェース面２Ａに対して第１溝部５Ｕよりも背面側に位置している傾斜面５Ｖを有している。傾斜面５Ｖはキャビティ部３に面している。傾斜面５Ｖは、第１溝部５Ｕの底部よりもソール部６側に位置している。
【００２５】
同様に、ソール部６は、フェース面２Ａの下方に位置する端部を有している。さらに、ソール部６は、フェース面２Ａに対して第２溝部６Ｕよりも背面側に位置している傾斜面６Ｖを有しており、傾斜面６Ｖはキャビティ部３に面している。傾斜面６Ｖは、第２溝部６Ｕの底部よりもトップエッジ部５側に位置している。
【００２６】
第１領域７、第２領域８、第３領域９、および第４領域１０は、キャビティ部３に面して配置されている。具体的には、第１領域７は、フェース面２Ａの背面側において傾斜面７Ｖを有しており、傾斜面７Ｖはキャビティ部３に面している。第２領域８は、フェース面２Ａの背面側において傾斜面８Ｖを有しており、傾斜面８Ｖはキャビティ部３に面している。傾斜面７Ｖと傾斜面８Ｖとは、それぞれ傾斜面５Ｖと接続されている。
【００２７】
第３領域９は、フェース面２Ａの背面側において傾斜面９Ｖを有しており、傾斜面９Ｖはキャビティ部３に面している。第４領域１０は、フェース面２Ａの背面側において傾斜面１０Ｖを有しており、傾斜面１０Ｖはキャビティ部３に面している。傾斜面９Ｖと傾斜面１０Ｖとは、それぞれ傾斜面６Ｖと接続されている。傾斜面９Ｖ，１０Ｖは、第２溝部６Ｕの後方側において、第３領域９および第４領域１０からそれぞれ厚肉部６Ｔ上に延びるように形成されている。言い換えると、傾斜面９Ｖ，１０Ｖの一部は、傾斜面６Ｖとともに厚肉部６Ｔの上方の端面を構成している。
【００２８】
なお、傾斜面５Ｖ，６Ｖ，７Ｖ，８Ｖ，９Ｖ，１０Ｖは、それぞれ平面状に形成されていてもよいし、曲面状に形成されていてもよい。また、傾斜面５Ｖ，６Ｖ，７Ｖ，８Ｖ，９Ｖ，１０Ｖは、それぞれ一平面や一曲面に限られるものではなく、延びている方向が異なる複数面が連なるように形成されていてもよい。
【００２９】
図１および図３を参照して、フェース部２において、フェース面２Ａとフェースバック面２Ｂとの成す厚みが部分的に厚くなる厚肉領域１３が形成されていてもよい。厚肉領域１３は、たとえばフェースバック面２Ｂの他の領域に対して傾斜している傾斜面（フェース面２Ａに対して傾斜している傾斜面）を有する段差部１４に囲まれるように形成されている。厚肉領域１３および段差部１４は、たとえばフェース面２Ａのソール部６側において、スコアライン１１の垂直２等分線である直線Ｄを中心としてヒール部１ｈ側およびトゥ部１ｔ側に等しい距離だけ延びるように形成されていてもよい。この場合、厚肉領域１３および段差部１４は、少なくとも一部が第２溝部６Ｕの内部に位置するフェースバック面２Ｂ上に形成されていてもよい。
【００３０】
ゴルフクラブヘッド１のヒール部１ｈ側には、シャフト３１（図４参照）と接続されるホーゼル部１２が形成されている。
【００３１】
ゴルフクラブヘッド１は、一体として鋳造により作製されている。言い換えると、ゴルフクラブヘッド１は溶接により連接した部分を含んでいない。これにより、ゴルフクラブヘッド１は、低コストで作製することができるとともに、溶接により連接した部分を含んでいる場合と比べて高い耐久性を有している。
【００３２】
次に、図１〜図３を参照して、ゴルフクラブヘッド１の寸法比について説明する。はじめに、ゴルフクラブヘッド１のヘッド長Ｌ５は、ヒール部１ｈにおいてシャフト３１（あるいはホーゼル部１２）の軸Ａとソール部６の下方端面６Ｓとの交点Ｂと、トゥ部１ｔにおける先端点Ｃとの間の、スコアライン１１が延びる方向における距離である。
【００３３】
ゴルフクラブヘッド１のヘッド長Ｌ５に対し、ヒール部１ｈ側からトゥ部１ｔ側に向かう方向、すなわちヒール部１ｈからトゥ部１ｔに向かう方向に対して交差する方向における第１溝部５Ｕの底部の長さＬ１の比率（第１比率Ｌ１／Ｌ５）は、０．４８以上０．６３以下である。上述のように、第１溝部５Ｕを構成する１つの面はフェースバック面２Ｂであり、トップエッジ部５側の配置されている第１溝部５Ｕの底部がフェースバック面２Ｂのトップエッジ部５側の端部を規定している。そのため、上記第１比率が０．４８未満の場合には、トップエッジ部５側においてフェース面２Ａとフェースバック面２Ｂとが重なる領域（フェース面２Ａに垂直な方向における厚みが薄い領域）が占める割合が小さくなる。その結果、フェース面２Ａにおける反発係数が低くなり、飛距離を向上させることが困難となる。また、上記第１比率が０．４８未満の場合には、トップエッジ部５側においてフェース面２Ａとフェースバック面２Ｂとが重なる領域が占める割合が小さくなることにより、トップエッジ部５側の質量が増加し、ゴルフクラブヘッド１の重心位置が高くなる。その結果、ゴルフクラブヘッド１の重心位置よりも下方の位置（ソール部６側の位置）で打球した場合には、打球時にゴルフクラブヘッド１が重心位置を中心としてソール部６が後方に向かって回転するとともに、いわゆるギア効果によって打球にはこれとは逆向きのバックスピンが加えられる。そのため、このようなゴルフクラブヘッドでは飛距離を向上させることが困難となる。
【００３４】
一方、第１比率が０．６３超えである場合には、トップエッジ部５側においてフェース面２Ａとフェースバック面２Ｂとが重なる領域の占める割合が十分に大きくなるが、第１領域７および第２領域８が占める割合が小さくなることによってトップエッジ部５側の質量が軽くなる。つまり、ゴルフクラブヘッド１の重心から離れた位置の質量が軽くなる。そのため、ゴルフクラブヘッド１の慣性モーメントが小さくなり、打撃点がずれた場合の打球の方向安定性が低くなるため、このようなゴルフクラブヘッドはスイートエリアが小さくなる。その結果、飛距離を向上させることが困難となる。また、トップエッジ部５側において相対的に厚みの薄い第１溝部５Ｕが占める割合が高くなることにより、トップエッジ部５の剛性が低下して撓みやすくなる。その結果、打球音が大きくなり、かつ減衰しにくくなるため、打感が悪化するという問題も生じ得る。
【００３５】
つまり、第１比率が０．４８以上０．６３以下であるゴルフクラブヘッド１は、反発係数が高いとともに、重心位置が低く、かつスイートエリアが大きいため、飛距離を効果的に向上することができる。また、このようなゴルフクラブヘッド１は、飛距離の向上に伴って生じ得る打感の悪化が抑制されている。
【００３６】
ゴルフクラブヘッド１において、第１比率は０．５４以上０．６３以下であるのが好ましい。第１比率を０．５４以上とすることにより、トップエッジ部５側においてフェース面２Ａとフェースバック面２Ｂとが重なる領域の占める割合を十分に大きくすることができ、トップエッジ部５側の質量を軽くすることができる。その結果、重心位置を低くして、ゴルフクラブヘッド１の重心位置よりも上方の位置（トップエッジ部５側の位置）で打球しやすくすることができ、飛距離を向上させることができる。
【００３７】
より好ましくは、第１比率が０．５４以上０．５９以下である。第１比率を０．５９以下とすることにより、トップエッジ部５の剛性を高めることができる。その結果、打球時に生じる打球音を抑制することができるとともに、打球音を減衰し易くすることができるため、ゴルフクラブヘッド１の打感を向上させることができる。
【００３８】
次に、ヘッド長Ｌ５に対する、ヒール部１ｈからトゥ部１ｔに向かう方向に延びる第２溝部６Ｕの底部の長さＬ２の比率（第２比率Ｌ２／Ｌ５）は、０．４８以上０．６３以下である。上述のように、第２溝部６Ｕを構成する１つの面はフェースバック面２Ｂであり、ソール部６側の配置されている第２溝部６Ｕの底部がフェースバック面２Ｂのソール部６側の端部を規定している。そのため、上記第２比率が０．４８未満の場合には、ソール部６側においてフェース面２Ａとフェースバック面２Ｂとが重なる領域（フェース面２Ａに垂直な方向における厚みが薄い領域）が第３領域９および第４領域１０と比べて相対的に狭くなる。その結果、フェース面２Ａにおける反発係数が低くなり、飛距離を向上させることが困難となる。
【００３９】
また、第２比率が０．６３超えである場合には、ソール部６側においてフェース面２Ａとフェースバック面２Ｂとが重なる領域の占める割合が十分に大きくなるが、第３領域９および第４領域１０が占める割合が小さくなることによってソール部６側の質量が軽くなる。つまり、ゴルフクラブヘッド１の重心位置が高くなる。その結果、上述のように、このようなゴルフクラブヘッドでは飛距離を向上させることが困難となる。
【００４０】
つまり、第２比率が０．４８以上０．６３以下であるゴルフクラブヘッド１は、反発係数が高く、かつ重心位置が低いため、飛距離を効果的に向上することができる。
【００４１】
ゴルフクラブヘッド１において、第２比率が０．４８以上０．５８以下であるのが好ましい。第２比率を０．５８以下とすることにより、ソール部６側においてフェース面２Ａとフェースバック面２Ｂとが重なる領域の占める割合が十分に大きくすることができるとともに、ソール部６側の質量を所定値以上とすることができる。つまり、ゴルフクラブヘッド１の重心位置を低く保つことができる。その結果、上述のように、このようなゴルフクラブヘッド１では飛距離を向上することができる。
【００４２】
次に、図１および図３を参照して、上記直線Ｄ上におけるフェース面２Ａの高さ（打球面の高さ）Ｌ６は、上記直線Ｄ上におけるフェース面２Ａのトップエッジ部５における端部からソール部６における端部までの距離である。ここで、フェース面２Ａは、上述のように、スコアライン１１が形成されていない領域において１つの平面として形成されている。そのため、フェース面２Ａのトップエッジ部５における端部とは、フェース面２Ａと所定の曲率半径を有するトップエッジ部５の表面との境界部である。フェース面２Ａのソール部６における端部とは、フェース面２Ａと所定の曲率半径を有するソール部６の表面との境界部である。
【００４３】
フェース面２Ａの高さＬ６に対する、直線Ｄに沿ったフェースバック面２Ｂの高さＬ３の比率（第３比率）は０．９７以上である。上述のように、フェースバック面２Ｂは、第１溝部５Ｕの底部によりトップエッジ部５側の端部が規定されており、第２溝部６Ｕの底部によりソール部６側の端部が規定されている。よって、直線Ｄに沿ったフェースバック面２Ｂの高さＬ３は、直線Ｄに沿ったフェースバック面２Ｂのトップエッジ部５側の端部からソール部６側の端部までの距離である。第１溝部５Ｕおよび第２溝部６Ｕの底面が所定の曲率半径を有するＵ字形状であって、フェースバック面２Ｂと第１溝部５Ｕまたは第２溝部６Ｕとの接続部に明確な境界（エッジ）が形成されてない場合には、フェースバック面２Ｂのトップエッジ部５側の端部とは、フェースバック面２Ｂと所定の曲率半径を有する第１溝部５Ｕの表面との境界部である。同様に、フェースバック面２Ｂのソール部６側の端部とは、フェースバック面２Ｂと所定の曲率半径を有する第２溝部６Ｕの表面との境界部である。
【００４４】
なお、フェースバック面２Ｂと第１溝部５Ｕまたは第２溝部６Ｕとの接続部に明確な境界（エッジ）が形成されている場合には、フェースバック面２Ｂのトップエッジ部５側の端部またはフェースバック面２Ｂのソール部６側の端部とは、フェースバック面２Ｂと第１溝部５Ｕまたは第２溝部６Ｕとの接続部の明確な境界（エッジ）であればよい。
【００４５】
上記第３比率が０．９７未満である場合には、ゴルフクラブヘッド１においてフェース面２Ａとフェースバック面２Ｂとが重なる領域が占める割合が小さくなる。その結果、ゴルフクラブヘッド１の反発係数が低くなり、飛距離を向上させることが困難となる。また、上記第３比率が０．９７未満である場合には、ゴルフクラブヘッド１の重心位置が高くなるため、上述のように飛距離を向上させることが困難となる。
【００４６】
つまり、第３比率が０．９７以上であるゴルフクラブヘッド１は、反発係数が高く、かつ重心位置が低いため、飛距離を向上することができる。
【００４７】
次に、図３を参照して、フェース面２Ａに垂直な方向におけるソール部６の最大幅Ｌ７は、フェース面２Ａからフェース面２Ａに垂直な方向における厚肉部６Ｔの端部までの距離であり、フェース部２の厚み、第２溝部６Ｕの底部の幅Ｌ４、および厚肉部６Ｔの厚みを含む。最大幅Ｌ７に対する、垂直２等分線Ｄを通り、フェース面２Ａに垂直な面における第２溝部６Ｕの底部の幅Ｌ４の第４比率Ｌ４／Ｌ７が０．３１以上０．３９以下である。第２溝部６Ｕの底部の幅Ｌ４は、第２溝部６Ｕの底部を挟んで対向する一方の面であるフェースバック面２Ｂと、他方の面である厚肉部６Ｔの前方側の端面との距離である。上記第４比率が０．３１未満である場合には、ゴルフクラブヘッド１の反発係数が低くなり、飛距離を向上させることが困難となる。一方、第４比率が０．３９超えである場合には、ソール部６において厚肉部６Ｔが占める割合が小さくなるため、ソール部６の全体の質量が軽くなり、ゴルフクラブヘッド１の重心位置が高くなる。そのため、上述のように飛距離を向上させることが困難となる。また、ソール部６において第２溝部６Ｕが占める割合が大きくなることにより、ソール部６の剛性が低下する。その結果、ゴルフクラブヘッド１の反発係数が低くなり、飛距離を向上させることが困難となる。
【００４８】
第４比率を０．５０以上とさらに高くした場合には、ゴルフクラブヘッド１のソール部６側の質量が軽くなり、ゴルフクラブヘッド１の重心から離れた位置の質量が軽くなる。その結果、ゴルフクラブヘッド１の慣性モーメントが小さくなり、打撃点がずれた場合の打球の方向安定性が低くなるため、このようなゴルフクラブヘッドはスイートエリアが小さくなる。
【００４９】
つまり、第４比率が０．３１以上０．３９以下であるゴルフクラブヘッド１は、反発係数が高いとともに、重心位置が低く、かつスイートエリアが大きいため、飛距離を効果的に向上することができる。
【００５０】
図４を参照して、ゴルフクラブヘッド１は、ホーゼル部１２がシャフト３１に、シャフト３１がグリップ３２に接続されることにより、ゴルフクラブ１００を構成する。ゴルフクラブ１００において、ゴルフクラブヘッド１は番手（たとえば４Ｉ，５Ｉ，６Ｉ，７Ｉなど）に応じて任意のロフト角を有して形成され得る。
【００５１】
図５を参照して、ゴルフクラブヘッド１には、トゥ部１ｔ側において第１溝部５Ｕと第２溝部６Ｕとに接続された第３溝部７Ｕが形成されていてもよい。また、ヒール部１ｈ側において第１溝部５Ｕと第２溝部６Ｕとに接続された第４溝部８Ｕが形成されていてもよい。第３溝部７Ｕは、たとえば傾斜面７Ｖと重なる領域において、トゥ部１ｔ側に底部を有するように形成されていてもよい。第４溝部８Ｕは、たとえば傾斜面８Ｖと重なる領域において、ヒール部１ｈ側に底部を有するように形成されていてもよい。
【００５２】
この場合、キャビティ部３は、第１溝部５Ｕ、第２溝部６Ｕに加え、第３溝部７Ｕおよび第４溝部８Ｕに接続されている。また、フェースバック面２Ｂは、第３溝部７Ｕおよび第４溝部８Ｕの底部と連なる一方の面を構成している。つまり、フェースバック面２Ｂは、第３溝部７Ｕが形成されている分だけトゥ部１ｔ側であってトップエッジ部５側に広く形成されており、第４溝部８Ｕが形成されている分だけヒール部１ｈ側であってトップエッジ部５側に広く形成されている。これにより、フェース面２Ａとフェースバック面２Ｂとが重なる領域を広く形成することができる。
【００５３】
このようにしても、本実施の形態に係るゴルフクラブヘッド１およびゴルフクラブ１００と同様の効果を奏することができる。
【００５４】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００５５】
本発明は、一体鋳造により形成されるゴルフクラブヘッドおよびそれを備えるゴルフクラブに特に有利に適用される。
【符号の説明】
【００５６】
１  ゴルフクラブヘッド、１ｈ  ヒール部、１ｔ  トゥ部、２  フェース部、２Ａ  フェース面、２Ｂ  フェースバック面、３  キャビティ部、５  トップエッジ部、５Ｕ  第１溝部、５Ｖ，６Ｖ，７Ｖ，８Ｖ，９Ｖ，１０Ｖ  傾斜面、６  ソール部、６Ｓ  下方端面、６Ｔ  厚肉部、６Ｕ  第２溝部、７  第１領域、７Ｕ  第３溝部、８  第２領域、８Ｕ  第４溝部、９  第３領域、１０  第４領域、１１  スコアライン、１２  ホーゼル部、１３  厚肉領域、１４  段差部、３１  シャフト、３２  グリップ、１００  ゴルフクラブ。
【図１】
2015231468.tif 000003
【図２】
2015231468.tif 000004
【図３】
2015231468.tif 000005
【図４】
2015231468.tif 000006
【図５】
2015231468.tif 000007